【手続補正書】
【提出日】平成18年11月6日(2006.11.6)
【手続補正１】
【補正対象書類名】明細書
【補正対象項目名】０００６
【補正方法】変更
【補正の内容】
【０００６】
さらに、特開平１１−３２９８３号公報に記載の内視鏡撮像装置には、信号処理手段における映像信号特性の調整を行う複数の調整手段と、この調整手段の調整値を記憶する外部記憶手段であるメモリーカードとを有し、制御手段によって、メモリーカードに記憶された調整値を基に前記調整手段の動作設定を変更する技術が開示されている。
【手続補正２】
【補正対象書類名】明細書
【補正対象項目名】００１４
【補正方法】変更
【補正の内容】
【００１４】
図１は、本発明の内視鏡装置の第１実施例を示し、内視鏡装置の全体構成を示すブロック図である。
【手続補正３】
【補正対象書類名】明細書
【補正対象項目名】００２０
【補正方法】変更
【補正の内容】
【００２０】
光源装置３は、光を照射するキセノンランプ等のランプ２３と、このランプ２３の照明光路上に設けられ、複数の光学フィルタ、照明光絞り及び回転フィルタ等を有し、照明光量を調整する調光部２４と、この調光部２４を制御する調光制御部２５と、を有している。
【手続補正４】
【補正対象書類名】明細書
【補正対象項目名】００２１
【補正方法】変更
【補正の内容】
【００２１】
この調光制御部２５は、後述するビデオプロセッサ４の調光制御部３０からコネクタ１３、ケーブル１２、コネクタ１１及び１４、信号線１５を介して供給される制御信号に基づいて前記調光部２４を制御するようになっている。
【手続補正５】
【補正対象書類名】明細書
【補正対象項目名】００３３
【補正方法】変更
【補正の内容】
【００３３】
このＩ／Ｏポート４２には、前記パネル４３が接続される。このパネル４３は、画質調整用のスイッチやＬＥＤを設けており、使用者からの入力を受け付けたり、ＬＥＤ表示を制御する。
【手続補正６】
【補正対象書類名】明細書
【補正対象項目名】００３４
【補正方法】変更
【補正の内容】
【００３４】
また、前記ＣＰＵ３８のバス３９には、前記ＰＣＩバスブリッジ４４が接続されている。このＰＣＩバスブリッジ４４は、前記ＣＰＵ３８のバス３９を汎用バスであるＰＣＩバス４５に変換する。このＰＣＩバス４５上には、前記キャプチャ回路３３、ＵＳＢコントローラ４６、ＰＣカードコントローラ４８及びＵＡＲＴ５０が接続されている。
【手続補正７】
【補正対象書類名】明細書
【補正対象項目名】００３９
【補正方法】変更
【補正の内容】
【００３９】
また、フロントパネル４Ｂの図中右側部分には、モニタ５のホワイトバランスを調整するためのホワイトバランススイッチ５３が設けられている。また、そのホワイトバランススイッチ５３の図中右側部分には、光源装置３による光量を調整するための光量調整スイッチ５４及び光量調整時にレベルを表示するＬＥＤ５４ａが設けられている。
【手続補正８】
【補正対象書類名】明細書
【補正対象項目名】００５８
【補正方法】変更
【補正の内容】
【００５８】
アノテーション画面５Ａは、図４に示すように、アノテーション画像を選択するためのアノテーション位置指定部９０と、このアノテーション位置指定部９０により選択した画像を実行するための「Ｖｉｅｗ」ボタン９１と、その選択操作を取り消しするための「Ｃａｎｃｅｌ」ボタン９２と、このアノテーション画面５Ａにて画像選択及びボタン実行を操作するためのカーソル９３と、複数の画像が表示される画像表示エリア９４と、を有している。
【手続補正９】
【補正対象書類名】明細書
【補正対象項目名】００５９
【補正方法】変更
【補正の内容】
【００５９】
前記アノテーション位置指定部９０は、例えば４つの画像を選択するようになっており、それぞれアノテーション位置指定に応じた指定部９０ａ、９０ｂ、９０ｃ、９０ｄを有している。
この場合、前記指定部９０ａは、画面の左上の位置に画像を選択するためのもので、前記指定部９０ｂは、画面の右上の位置に画像を選択するためのものである。同じように、前記指定部９０ｃは、画面の左下の位置に画像を選択するためのもので、前記指定部９０ｄは、画面の右下の位置に画像を選択するためのものである。
【手続補正１０】
【補正対象書類名】明細書
【補正対象項目名】００６２
【補正方法】変更
【補正の内容】
【００６２】
すると、ビデオプロセッサ４のＣＰＵ３８は、この指定部９０ａに対応する位置に配置する画像の選択モードを実行する。つまり、次のアノテーション画面５Ｃに示すように、ＣＰＵ３８は、カーソル９３の移動に伴い、画像表示エリア９４内に画像選択カーソル９０Ａを表示させる。
【手続補正１１】
【補正対象書類名】明細書
【補正対象項目名】００６５
【補正方法】変更
【補正の内容】
【００６５】
すると、前記ＣＰＵ３８は、前記同様、この指定部９０ｂに対応する位置に配置する画像の選択モードを実行する。つまり、アノテーション画面５Ｄに示すように、ＣＰＵ３８は、カーソル９３の移動に伴い、画像表示エリア９４内に画像選択カーソル９０Ｂを表示させる。
【手続補正１２】
【補正対象書類名】明細書
【補正対象項目名】００６７
【補正方法】変更
【補正の内容】
【００６７】
その後、前記指定部９０ｃ、９０ｄについても前記画像選択動作と同じようにして画像を選択する。
そして、４つめの指定部９０ｄの画像選択動作を完了すると、使用者は、カーソル９３を「Ｖｉｅｗ」ボタン９１に合わせ、実行ボタン７６（図３参照）を押下することによりアノテーション画像の画像選択を完了する。
【手続補正１３】
【補正対象書類名】明細書
【補正対象項目名】００８７
【補正方法】変更
【補正の内容】
【００８７】
図６は本発明の内視鏡装置の第２実施例を示し、内視鏡装置のビデオプロセッサの概略構成を示すブロック図である。
図６に示すように、ビデオプロセッサ４のＰＣカードスロット４９には、このＰＣカードスロット４９に装着されたメモリーカード１０を、強制的にイジェクトするためのイジェクトボタン４９ａが設けられている。使用者は、このイジェクトボタン４９ａを押下することにより、強制的にメモリーカード１０をイジェクトすることができる。
【手続補正１４】
【補正対象書類名】明細書
【補正対象項目名】０１１２
【補正方法】変更
【補正の内容】
【０１１２】
また、ＣＰＵ３８は、前記識別情報から内視鏡２のＣＣＤ１９がＢ−ＣＣＤであり、観察画面に表示される内視鏡画像１０３が図１０（Ｂ）に示すようなマスクサイズのものと判別した場合には、このマスクサイズの内視鏡画像１０３のみをメモリーカード１０に記録するようにＰＣカードコントローラ４８を制御する。
【手続補正１５】
【補正対象書類名】明細書
【補正対象項目名】０１１５
【補正方法】変更
【補正の内容】
【０１１５】
図１１及び図１２は本発明の内視鏡装置の第５実施例を示し、図１１は内視鏡装置のビデオプロセッサの主要部を示すブロック図、図１２はモニタの表示例を示す図である。なお、図１１及び図１２は前記第１実施例と同様な構成要素については同一の符号を付して説明を省略する。
【手続補正１６】
【補正対象書類名】明細書
【補正対象項目名】０１４１
【補正方法】変更
【補正の内容】
【０１４１】
【図１】本発明の内視鏡装置の第１実施例を示し、内視鏡装置の全体構成を示すブロック図。
【図２】図１のビデオプロセッサの外観構成を示す正面図。
【図３】図１のキーボードの外観構成を示す上面図。
【図４】図４及び図５は本実施例の内視鏡装置によるアノテーション機能を説明するためのもので、図４は画像を選択しアノテーション画像を構築するための操作手順を示す説明図。
【図５】図４で構築されたアノテーション画像をメモリーカードに記録した場合のホルダ構造を示す説明図。
【図６】本発明の内視鏡装置の第２実施例を示し、内視鏡装置のビデオプロセッサの概略構成を示すブロック図。
【図７】第２実施例のアクセスＬＥＤの変形例を示し、ビデオプロセッサ４の収容部分の構成を示すブロック図。
【図８】本発明の内視鏡装置の第３実施例を説明するための説明図。
【図９】第２実施例の変形例を説明するための説明図。
【図１０】本発明の内視鏡装置の第４実施例を説明するための説明図。
【図１１】本発明の内視鏡装置の第５実施例を示し、内視鏡装置のビデオプロセッサの主要部を示すブロック図。
【図１２】モニタの表示例を示す図。
【図１３】第５実施例の変形例を説明するもので、ＣＰＵによる処理手順を示す説明図。
【図１４】図１３の処理に応じて生成されたファイル名及び内視鏡画像を示す図。
【図１５】本発明の内視鏡装置の第６実施例を示し、この内視鏡装置内のＣＰＵによる制御例を示すフローチャート。
【図１６】第１乃至第６実施例の内視鏡装置の変形例を示すビデオプロセッサの主要部のブロック図。